(57)【要約】【課題】商用サイトのリンク付けから報酬の付与までを一元的に管理する。【解決手段】  ウェブログサイト２は、管理者端末４にウェブログの編集用画面１０を送信する。編集用画面１０には、ボタン１５が設けられている。ウェブログ管理者が、ボタン１５を選択すると、リンク表示画面２０が表示される。リンク表示画面２０には、商用サイトの名称、商品の名称、内容、概要、ＵＲＬ、報酬形態、報酬実績などが記述される。ウェブログ管理者は、これらの情報を見ながら自身のウェブログとリンク付けさせる商用サイト６を選択して選択ボタン７２をクリックする。【選択図】図１
2005346574.tif 000002
【特許請求の範囲】
【請求項１】
コンテンツを編集するための編集画面を表示する編集画面表示工程と、
上記編集画面において編集されるコンテンツに関連する商用サイトの一覧を表示する商用サイト表示工程と、
上記一覧に表示された商用サイトとコンテンツとのリンク付けを行うリンク生成工程と、
上記編集画面において入力されたコンテンツをウェブで公開することができる形式の公開用コンテンツに変換する形式変換工程と
を有することを特徴とするリンク生成方法。
【請求項２】
上記公開用コンテンツの閲覧者端末が上記公開用コンテンツを経由して上記商用サイトにアクセスしたとき、上記コンテンツの管理者に対して報酬を付与する報酬付与工程を有することを特徴とする請求項１記載のリンク生成方法。
【請求項３】
上記商用サイトの一覧には、商用サイトの名称、商品の名称、商品の概要のうちの少なくとも１つが表示されることを特徴とする請求項１記載のリンク生成方法。
【請求項４】
上記商用サイトの一覧には、上記報酬付与工程において支払われる報酬の算出方法が含まれることを特徴とする請求項２記載のリンク生成方法。
【請求項５】
上記商用サイトの一覧には、上記報酬付与工程で支払われた報酬の実績が含まれることを特徴とする請求項２記載のリンク生成方法。
【請求項６】
インターネットに公開されるコンテンツの管理を行うコンテンツ管理装置と、上記コンテンツにリンクさせる商用サイトの管理を行う商用サイト管理装置とを備えたリンク生成システムであって、
上記コンテンツ管理装置は、コンテンツを編集するための編集画面を端末に送信する編集画面送信手段と、上記端末において上記編集画面を使用して編集されるコンテンツをウェブで公開することができる形式に変換する形式変換手段とを備え、
上記商用サイト管理装置は、商用サイトに関する情報を格納する商用サイト情報格納手段と、上記商用サイトに関する情報を基に上記編集画面を使用して編集されるコンテンツにリンクさせる商用サイトを検索する商用サイト検索手段と、上記商用サイト検索手段の検索結果を上記コンテンツ管理装置に送信する検索結果送信手段とを備え、
上記コンテンツ管理装置は、上記商用サイト検索手段で検索された商用サイトの一覧を表示させる一覧表示画面を生成し上記端末に送信することを特徴とするリンク生成システム。
【請求項７】
上記商用サイト管理装置は、上記コンテンツの閲覧者が上記商用サイトを訪れたとき、上記コンテンツの管理者に対して報酬を付与する報酬付与手段を備えることを特徴とする請求項６記載のリンク生成システム。
【請求項８】
上記報酬付与手段は、同一の管理者が作成したコンテンツが複数の商用サイトとリンク付けられているとき、該複数の商用サイトの報酬を一括して管理することを特徴とする請求項７記載のリンク生成システム。
【発明の詳細な説明】
【技術分野】
【０００１】
本発明は、ウェブ上に公開するコンテンツと商用サイトとのリンク付けを行うリンク生成方法、及びリンク生成システムに関する。
【背景技術】
【０００２】
近年、ＷＷＷ（World Wide Web）で使用されるコンテンツの作成から作成したコンテンツの更新までを自動化したコンテンツ管理システムと呼ばれるシステムが存在する。コンテンツ管理システムは、コンテンツを入力するためのテンプレートを公開し、このテンプレートに従って記述されたコンテンツをＷＷＷで送受信できるＨＴＭＬ形式やＸＭＬ形式のファイルに変換して特定のディレクトリに保管する。コンテンツ管理システムは、コンテンツをカテゴリや更新日時ごとに整理したり、コンテンツ同士のリンクを記憶しリンク先のファイルが削除されたときにはリンク元のファイルに埋め込まれたリンクを取り除く処理などを行う。
【０００３】
コンテンツ管理システムの1つとして、ウェブログと呼ばれるコンテンツを管理するものが存在する。ウェブログとは、インターネットに存在するサイトの紹介記事のようなものであり、紹介したサイトのリンクとサイトに対する記事などが書き込みできるようになっている。
【０００４】
ウェブログの編集や閲覧は、ＰＣのウェブブラウザで行うことができる。コンテンツ管理システムは、ウェブブラウザからの指示に応じて、ウェブログ閲覧用のウェブページやウェブログ編集用のウェブページを返信する。ウェブログ編集用のウェブページは、ウェブログの記事を入力する入力領域が設けられている。この入力領域に入力された記事は、ウェブログサイトにアップロードされＨＴＭＬファイルに変換される。
【０００５】
このようにウェブログは、ＨＴＭＬ形式のファイルであるため、記事の特定語句に対してリンクを挿入することができる。ウェブログ管理者は、ウェブログに広告ページをリンクさせると広告主から広告収入を得ることができる。このような広告を管理する業者をアフェリエイトプロバイダと呼ぶ。
【０００６】
従来、アフェリエイトリンクを表示、選択する形式のＨＴＭＬエディタアプリケーションの場合、ウェブブラウザとは別にＨＴＭＬエディタアプリケーションを起動する必要がある。そして、ＨＴＭＬエディタアプリケーションが生成したＨＴＭＬを選択し、ウェブログの特定語句にコピーアンドペーストする必要がある。
【０００７】
また、従来、ウェブログの管理者が複数のアフェリエイトプロバイダと契約している場合、複数のアフェリエイトプロバイダから得られる報酬を一括して閲覧するのが難しかった。さらに、複数のアフェリエイトプロバイダと契約している場合には、アフェリエイトの収入は、商品券、小切手など換金可能な証券から買い物に私用できるポイントまで多様であり、これらを一元的に扱うことができない。また、小切手や銀行振込によって報酬を支払うときには、報酬金額が一定の金額に達するまで支払いが留保されるのが一般的である。
【発明の開示】
【発明が解決しようとする課題】
【０００８】
本発明は、商用サイトのリンク付けから報酬の付与までを一元的に管理するリンク生成方法、リンク生成システムを提供することを目的とする。
【課題を解決するための手段】
【０００９】
本発明にかかるリンク生成方法は、コンテンツを編集するための編集画面を表示する編集画面表示工程と、編集画面において編集されるコンテンツに関連する商用サイトの一覧を表示する商用サイト表示工程と、一覧に表示された商用サイトとコンテンツとのリンク付けを行うリンク生成工程と、編集画面において入力されたコンテンツをウェブで公開することができる形式の公開用コンテンツに変換する形式変換工程とを有する。
【００１０】
また、本発明にかかるリンク生成システムは、  ンテンツを編集するための編集画面を端末に送信する編集画面送信手段と、端末において編集画面を使用して編集されるコンテンツをウェブで公開することができる形式に変換する形式変換手段とを備えるコンテンツ管理装置と、商用サイトに関する情報を格納する商用サイト情報格納手段と、商用サイトに関する情報を基に編集画面を使用して編集されるコンテンツにリンクさせる商用サイトを検索する商用サイト検索手段と、商用サイト検索手段の検索結果をコンテンツ管理装置に送信する検索結果送信手段とを備えるサイト管理装置とを有し、コンテンツ管理装置は、商用サイト検索手段で検索された商用サイトの一覧を表示させる一覧表示画面を生成し端末に送信することを特徴とする。
【発明の効果】
【００１１】
本発明におけるリンク生成方法では、コンテンツを編集するための編集画面と、編集画面において編集されるコンテンツに関連する商用サイトの一覧とを同時に表示させる。これにより、商用サイトの管理者は、一覧に記載された商用サイトの内容を確認しつつリンク付けをすることができるようになる。また、コンテンツの管理者は、複数の商用サイトの情報を一度に得ることができ、商用サイトの検索を行う必要がなくなる。
【００１２】
本発明におけるリンク生成システムでは、コンテンツの管理者が複数の商用サイトコンテンツを編集するための編集画面と、編集画面において編集されるコンテンツに関連する商用サイトの一覧とを同時に表示させる。これにより、商用サイトの管理者は、一覧に記載された商用サイトの内容を確認しつつリンク付けをすることができるようになる。また、コンテンツの管理者は、複数の商用サイトの情報を一度に得ることができ、商用サイトの検索を行う必要がなくなる。
【００１３】
さらに、リンク生成システムでは、同一の管理者が作成したコンテンツが複数の商用サイトとリンク付けられているとき、該複数の商用サイトの報酬を一括して管理するため、ウェブログの実績が分散していても報酬が一定金額に達し易い。
【発明を実施するための最良の形態】
【００１４】
以下、図面を参照して本発明を適用したコンテンツ管理システムについて説明する。本発明を適用したコンテンツ管理システムは、ウェブログと呼ばれるコンテンツを管理する。ウェブログとは、インターネットのサイトを紹介するウェブページであり、サイトのリンクとサイトに関するコメントなどが記述されている。
【００１５】
ウェブログの収集と管理は、図１に示すウェブログサイト２が実行する。ウェブログサイト２は、ウェブログ管理者の端末（管理者端末４）にウェブログの編集用画面を送信し、ウェブログ閲覧者の端末（閲覧者端末５）にウェブログの閲覧用画面を送信する。管理者端末４と閲覧者端末５は、ウェブブラウザ４１，５１を備えたＰＣであり、名称は異なるが物理的に略同じものである。ウェブログ管理者は、広告収入を得るために、ウェブログに広告ページをリンクさせることができる。ウェブログ管理者は、広告ページを格納するサイト（商用サイト６）と契約を結び、この契約で決められた報酬を受ける。アフェリエイトプロバイダは、商用サイト６に代ってウェブログ管理者とを契約を結び、ウェブログ管理者に報酬を支払う。
【００１６】
ウェブログに商用サイト６のリンクを貼るためには、アフェリエイトプロバイダ３が生成したＵＲＬが必要である。本発明を適用したコンテンツ管理システム１では、ウェブログの編集用画面からアフェリエイトプロバイダ３にアクセスし、商用サイト６の一覧をウェブログの編集用画面と同時に表示させることを特徴とする。
【００１７】
コンテンツ管理システム１は、図１に示すように、ウェブログを管理するウェブログサイト２、ウェブログ管理者の広告収入を管理するアフェリエイトプロバイダ３、ウェブログ管理者が操作する管理者端末４、ウェブログの閲覧者が操作する閲覧者端末５を備える。
【００１８】
ウェブログサイト２は、ウェブログの管理を行うＣＭＳアプリケーション２２と、クライアントからの要求に応答してウェブページを送信するウェブサーバ２１と、ウェブページを格納するウェブデータベース２３、ウェブログ入力用のテンプレートを格納するテンプレートデータベース２４とを備える。
【００１９】
ＣＭＳアプリケーション２２は、図２に示すようにウェブログの編集用画面をウェブログ管理者に提供し編集用画面に入力されたウェブログをＨＴＭＬファイルに変換するテンプレート処理部７１、ウェブログが記入された日時やウェブログのカテゴリごとにウェブログを管理するウェブページ管理部７２、ウェブログに関連する商用サイト６のＵＲＬを取得する商用サイト取得部７３、商用サイト６を一覧表示するリンク表示画面を生成するリンク表示画面生成部７４とを備える。
【００２０】
テンプレート処理部７１は、管理者端末４からウェブログ編集用画面の送信要求を受けると、ウェブログ編集用画面をテンプレートデータベース２４から読み出して管理者端末４に出力する。ウェブログ編集用画面は、ＨＴＭＬ形式で記述されている。図３は、ウェブログ編集用画面の一例を示す。ウェブログ編集用画面１０は、画面左側に設けられた編集ボタン群１０ａと、画面中央に設けられた入力領域群１０ｂとから構成される。編集ボタン群１０ａは、新規作成するウェブログの編集画面を呼び出すボタン１１、既に作成したウェブログの編集用画面を呼び出すボタン１２、編集の終了させるボタン１３、ウェブログの再構築（リビルド）させるボタン１４、ウェブログに記載された特定語句に関連する商用サイト６の一覧表示を指示するボタン１５とからなる。また、入力領域群１０ｂは、ウェブログのタイトルを入力するタイトル入力領域１６と、ウェブログのカテゴリを入力するカテゴリ入力領域１７と、ウェブログの記事を入力する記事入力領域１８と、記事入力領域に書ききれない文章を追記する追記入力領域１９とからなる。
【００２１】
ウェブページ管理部７２は、閲覧者端末５からウェブログ閲覧用ページの送信要求を受けると、ウェブデータベース２３に格納されたウェブログを読み出して、閲覧者端末５に出力する。閲覧したいページのカテゴリや日付は、閲覧者端末５で選択することができる。
【００２２】
商用サイト取得部７３は、アフェリエイトプロバイダ３に対して商用サイト６の検索を要求する。商用サイト６の要求情報には、ウェブログ管理者が指定した特定語句、ウェブログサイト２のＩＤ、ウェブログ管理者のＩＤなどが含まれる。特定語句は、商用サイト６を検索する際の検索キーや検索クエリとなる。
【００２３】
リンク表示画面生成部７４は、商用サイト取得部７３が取得した情報を一覧表示するリンク表示画面を生成する。リンク表示画面には、商用サイト６の名称、商用サイト６が取り扱う商品の名称、商品の内容、商品の概要、商用サイト６のＵＲＬ、商用サイト６の報酬形態などが表示される。また、リンク表示画面には、ウェブログの特定語句にリンクを貼り付けるためのスクリプトプログラムが記述されている。管理者端末のウェブブラウザは、スクリプトプログラムを解析してリンク付けを行う。
【００２４】
図３には、リンク表示画面２０の一例が描画されている。図３のリンク表示画面２０は、記事入力領域１８に入力された「プラズマテレビ」という特定語句１８ａに関連する商用サイト６の一覧が表示されている。リンク表示画面２０の表示項目７１には、商用サイト６の名称、商品の名称、商品の内容、商品の概要、商用サイト６のＵＲＬ、報酬形態がある。表示項目の右手には、商用サイト６をウェブログにリンクさせるか否かを選択する選択ボタン７２が設けられている。
【００２５】
ウェブログ管理者が選択ボタン７２を選択すると、ウェブブラウザ４１がスクリプトプログラムを実行し、特定語句にリンクを挿入する。図３の特定語句「プラズマテレビ」１８ａには、リンクを表す＜a href＞タグが挿入されている。このＵＲＬの「？」以降の部分には、ウェブログサイトの識別情報、ウェブログ管理者の識別情報、商品の識別情報などの情報が付加されている。ＵＲＬの付加情報は、報酬の算出と報酬の支払いの際に使用される。
【００２６】
なお、表示項目は、商用サイト６のＵＲＬとリンク付けられている。表示項目をクリックすると、ＵＲＬが示すサイトのウェブページが表示される。図３の右下には、「商品ａ」宣伝するウェブページが描画されている。
【００２７】
アフェリエイトプロバイダ３は、図４に示すように、商用サイト６の内容を示すキーワードを格納するインデックスデータベース８５、検索キーに関連する商用サイト６を検索する商用サイト検索部８１、ウェブログに貼り付けるＵＲＬを生成するリンク情報生成部８２、閲覧者端末５と商用サイト６とを仲介する仲介部８３と、ウェブログ管理者に報酬を与える報酬付与部８４を備える。
【００２８】
商用サイト検索部８１は、特定語句を検索キーや検索クエリとしてインデックスデータベース８５を検索する。インデックスデータベース８５は、商用サイト６のＵＲＬや商品に関する情報のほかに、各商用サイト６がどのような報酬形態で契約されるかという情報を記録している。報酬形態には、クリックスルー型報酬、成果報酬などがある。クリックスルー型報酬は、ウェブログ閲覧者が特定語句をクリックしたときに発生する報酬で、報酬価格は、商用サイト６や商品の種類によって異なる。成果報酬は、ウェブログ閲覧者が商用サイト６を訪問後、商用サイト６上で何らかのアクションを起こしたときに得られる報酬である。そのアクションの内容によって「会員登録」「メールマガジン購読申込」等で得られる報酬を「リード型成功報酬」、「物を購入」したり、「有料サービスへの申込」があった場合に得られる「売上型成功報酬」に分類され、その金額の算定方式により「定率型」と「定額型」に分けられる。
【００２９】
リンク情報生成部８２は、ウェブログに挿入するリンクのＵＲＬを生成する。このＵＲＬは、ウェブログサイト２の識別情報、ウェブログ管理者の識別情報、商用サイト６のＵＲＬ、商品の識別情報、報酬形態、報酬実績などの情報が付加されている。ＵＲＬに情報を付加する方法には、ＱｕｅｒｙＳｔｒｉｎｇがある。ウェブログサイト２の識別情報、ウェブログ管理者の識別情報は、ウェブログサイト２から受信する。
【００３０】
なお、ウェブログサイト２の管理者は、ウェブログサイト２の識別情報や管理者の識別情報を取得するために、予め、アフェリエイトプロバイダ３と契約を結んでいるものとする。この契約において報酬の送付先などが決められる。
【００３１】
仲介部８３は、閲覧者端末５のブラウザ５１に商用サイト６との仲介を行う。閲覧者端末５において特定語句が選択されると、閲覧者端末５のウェブブラウザ５１は、商用サイト６から広告ページを読み出すとともに、ＵＲＬの付加情報をアフェリエイトプロバイダ３に送信する。ＵＲＬの付加情報には、ウェブログサイト２の識別情報、ウェブログ管理者の識別情報、商用サイト６のＵＲＬ、商品の識別情報などがある。付加情報は、報酬の算出及び支払いに使用される。
【００３２】
報酬付与部８４は、報酬を算出しウェブログ管理者に付与する。報酬形態は、商用サイト６の種類や商品の種類によって異なる。報酬形態は、インデックスデータベース８５に格納されている。報酬付与部８４は、報酬形態に従って報酬を算出し、ウェブログ管理者に支払う。報酬を支払う方法は、振り込み、商品券、小切手などの換金可能な証券から買い物に使用できるポイントなどがある。
【００３３】
報酬付与部８４は、報酬実績を報酬実績データベース８６に格納する。振り込みや小切手での支払いの場合、一定の金額に達するまで支払いが留保されるのが一般的である。報酬実績データベース８６には、既に一定金額に達した報酬実績と、未だ一定金額に達していない未払い実績との両方が格納される。
【００３４】
ウェブログ管理者が複数の商用サイト６と契約しているとき、報酬付与部８４は、複数の商用サイト６から与えられる報酬を一括して管理する。これにより、ウェブログの実績が分散していても報酬が一定金額に達し易いという効果が得られる。
【００３５】
以下、上述したコンテンツ配信システムの動作を説明する。図５は、商用サイト６へのリンク付け処理の流れを説明するフローチャートである。管理者端末４は、まず、ウェブログの編集を行うために、ＣＭＳアプリケーション２２が提供するウェブログのトップページにアクセスする（ステップＳ１１）。ＣＭＳアプリケーション２２は、ウェブログのトップページを管理者端末４に返信する（ステップＳ１２）。トップページには、図３で示したようなウェブログの新規作成画面を呼び出すボタン１１や既に作成されたウェブログの編集用画面を呼び出すボタン１２が設けられている。これらのボタン１１，１２の何れかが選択されると（ステップＳ１３）、テンプレート処理部７１は、図３に示すような編集用画面を管理者端末４に返信する（ステップＳ１４）。管理者端末４は、ウェブログサイト２２から受信した編集用画面１０を表示する（ステップＳ１５）。編集用画面１０の記事入力領域１８に記述された記事の特定語句１８ａと特定語句１８ａに関連する商用サイト６の一覧表示を指示するボタン１５とがユーザによって選択されると（ステップＳ１６）、商用サイト取得部７３は、アフェリエイトプロバイダ３に対して特定語句に関連するサイトの検索を要求する（ステップＳ１７）。アフェリエイトプロバイダ３は、特定語句を検索キーとして特定語句に関連する商用サイト６を検索し（ステップＳ１８）、商用サイト６にリンク付けを行うためのＵＲＬを生成する。このＵＲＬには、付加情報として、ウェブログサイト２の識別情報、ウェブログ管理者の識別情報、商用サイト６のＵＲＬ、商品の識別情報、報酬形態、報酬実績が組み込まれている。ウェブログサイト２の識別情報、ウェブログ管理者の識別情報、商用サイト６のＵＲＬ、商品の識別情報、報酬形態はインデックスデータベース８５から読み出された情報であり、報酬実績は報酬実績データベース８６から読み出された情報である（ステップＳ１９）。アフェリエイトプロバイダ３は、これらの情報をウェブログサイト２に送信する（ステップＳ２０）。リンク表示画面生成部７４は、アフェリエイトプロバイダ３が検索した商用サイト６の一覧を表示するリンク表示画面を生成して（ステップＳ２１）、管理者端末４に送信する（ステップＳ２２）。管理者端末４のウェブブラウザ４１は、ウェブログサイト２から受信したリンク表示画面２０を表示する（ステップＳ２３）。ウェブブラウザ４１は、リンクの挿入を指示するボタン７２が選択されると、編集用画面１０の特定語句１８ａに商用サイトのリンクを挿入する（ステップＳ２４）。
【００３６】
ウェブブラウザ４１は、ユーザからウェブログの編集の終了が指示されない間（ステップＳ２５；ＮＯ）ステップＳ１６〜ステップＳ２５までの処理を繰り返す。一方、ウェブブラウザ４１上でユーザからウェブログの編集の終了が指示され（ステップＳ２５；ＹＥＳ）、かつ、ユーザからウェブデータベース２３の再構築が指示されると（ステップＳ２６；ＹＥＳ）、ウェブログサイト２は、ウェブログサイト２を再構築し、編集内容をサイト全体に反映させる（ステップＳ２７）。一方、ウェブログサイト２は、ウェブログの編集終了が指示され（ステップＳ２５；ＹＥＳ）、ユーザからウェブデータベース２３の再構築が指示されない場合には（ステップＳ２６；ＮＯ）、サイト全体の再構築は行わない。
【００３７】
このように、ウェブログに商用サイト６をリンク付けるとウェブログの管理者に対して報酬が支払われるようになる。図６は、報酬の支払い処理の流れを説明するフローチャートである。閲覧者端末５がウェブログサイト２にアクセスし、ウェブログの送信を要求すると（ステップＳ３１）、ウェブログサイト２は閲覧者端末５にウェブログを送信する（ステップＳ３２）。閲覧者端末５のウェブブラウザ５１は、受信したウェブログを表示する（ステップＳ３３）。表示したウェブログには、商用サイト６へのリンクが貼られている。ウェブログ閲覧者が特定語句を選択すると（ステップＳ３４）、閲覧者端末５は、特定語句とリンク付けされた広告ページを読み出すとともに、アフェリエイトプロバイダ３に対してＵＲＬの付加情報を送信する（ステップＳ３５）。
【００３８】
アフェリエイトプロバイダ３の報酬付与部８４は、インデックスデータベース８５から商用サイト６の報酬形態を読み出し、商用サイト６の報酬形態に従って報酬を算出する（ステップＳ３６）。報酬付与部８４は、ウェブログサイト２の実績を報酬実績データベース８６に格納し（ステップＳ３７）、ウェブログ管理者に報酬を支払う処理を行う（ステップＳ３８）。報酬の支払いは、カード会社や銀行などに委託する方法が一般的である。
【００３９】
以上説明したように、本発明を適用したコンテンツ管理システム１では、アフェリエイトプロバイダ３に商用サイト検索部８１を設け、ウェブログに関連する商用サイト６を検索させる。管理者端末４には、ウェブログに関連する商用サイト６の一覧であるリンク表示画面が表示される。リンク表示画面には、商用サイト６のＵＲＬのほかに、商用サイト６の名称、商品の内容、ウェブログサイト２の実績などが表示される。ユーザは、リンク表示画面を確認しながらどの商用サイト６とリンク付けするかを選択することができる。
【００４０】
また、アフェリエイトサイトの報酬付与部は、ウェブログ管理者が契約している複数の商用サイトにおけるウェブログの実績を一括して管理する。そのため、ウェブログの実績が分散していても報酬が一定金額に達し易いなどの効果が得られる。
【００４１】
なお、本発明は、ウェブログの編集用画面からアフェリエイトプロバイダ３にアクセスして商用サイト６の一覧をウェブログの編集用画面と同時に表示させる点、及び複数の商用サイトから得られる報酬を一括して管理する点を特徴としており、本発明の要旨を含む変形・改良は、本発明に含まれるものとする。
【図面の簡単な説明】
【００４２】
【図１】コンテンツ管理システムの構成を示すブロック図である。
【図２】ＣＭＳアプリケーションのソフトウェア構成を示すブロック図である。
【図３】ウェブログの編集用ページ、リンク表示画面の一例を示す図である。
【図４】アフェリエイトサイトのソフトウェア構成を示すブロック図である。
【図５】ウェブログに商用サイトのリンク付けを行う処理の流れを説明するフローチャートである。
【図６】ウェブログ管理者に報酬を付与する処理の流れを説明するフローチャートである。
【符号の説明】
【００４３】
１  コンテンツ管理システム、２  ウェブログサイト、３  アフェリエイトプロバイダ、４  管理者端末、５  閲覧者端末、６  商用サイト、１０  編集用画面、２０  リンク表示画面、２１  ウェブサーバ、２２  ＣＭＳアプリケーション、２３  ウェブデータベース、２４  テンプレートデータベース、４１  ウェブブラウザ、５１  ウェブブラウザ、７１  テンプレート処理部、７２  ウェブページ管理部、７３  商用サイト取得部、７４  リンク表示画面生成部、８１  商用サイト検索部、８２  リンク情報検索部、８３  仲介部、８４  報酬付与部、８５  インデックスデータベース、８６  報酬実績データベース
【図１】
2005346574.tif 000003
【図２】
2005346574.tif 000004
【図３】
2005346574.tif 000005
【図４】
2005346574.tif 000006
【図５】
2005346574.tif 000007
【図６】
2005346574.tif 000008